(57)【特許請求の範囲】
【請求項１】
液晶パネルと、
前記液晶パネルの表示面に配置された第１の偏光フィルタと、
前記液晶パネルの背面に配置された第２の偏光フィルタと、
前記液晶パネルの背面に配置され、平面視において、少なくとも一部が前記第２の偏光フィルタの一部と重なる第３の偏光フィルタと、を備え、
前記第２の偏光フィルタと前記第３の偏光フィルタとは、前記液晶パネルの表示面から前記第２の偏光フィルタ、前記第３の偏光フィルタの順に配置され、
前記第２の偏光フィルタは、所定の色の波長域の光については偏光作用を及ぼさず透過させるカラー偏光フィルタであり、前記第３の偏光フィルタは透過軸に平行な偏光のみを透過させる偏光フィルタであり、
平面視において、前記第１の偏光フィルタと前記第２の偏光フィルタが重なる第１の表示領域と、前記第１の偏光フィルタと前記第３の偏光フィルタが重なり、前記第２の偏光フィルタの一部が少なくとも一部に重なる第２の表示領域とを有し、
前記第１の表示領域に表示される第１の表示要素の表示色と前記第２の表示領域に表示される第２の表示要素の表示色、又は、前記第１の表示領域における背景の表示色と前記第２の表示領域における背景の表示色とが異なる、
ことを特徴とする液晶表示装置。
【請求項２】
前記第２の偏光フィルタの透過軸と前記第３の偏光フィルタの透過軸とが略垂直に配置された、
ことを特徴とする請求項１に記載の液晶表示装置。
【請求項３】
前記第２の表示要素の表示色の明度が前記第１の表示要素の表示色の明度より低い、又は、前記第２の表示領域における背景の表示色の明度が前記第１の表示領域における背景の表示色の明度より低い、
ことを特徴とする請求項１又は２に記載の液晶表示装置。
【請求項４】
前記第３の偏光フィルタの全てが前記第２の偏光フィルタの一部と重なる、
ことを特徴とする請求項１乃至３のいずれか１項に記載の液晶表示装置。
【発明の詳細な説明】
【技術分野】
【０００１】
本発明は、液晶表示装置に関する。
【背景技術】
【０００２】
特許文献１には、色調の異なる複数の偏光板が、液晶パネルのガラス基板上に配置されることによって、表示領域が表示色の異なる複数の領域に分割された液晶表示装置が開示されている。
【先行技術文献】
【特許文献】
【０００３】
【特許文献１】実公昭６０−２２３４０号公報
【発明の概要】
【発明が解決しようとする課題】
【０００４】
特許文献１に係る液晶表示装置では、偏光板の組み付け誤差等のために、偏光板を隙間なく配置することが困難である。この隙間を使用者に視認させないために、隙間を別部材で覆った場合、構造が複雑になる。
【０００５】
本発明は、上記実状に鑑みてなされたものであり、構造が簡単で、表示色の異なる複数の表示領域を有する液晶表示装置を提供することを目的とする。
【課題を解決するための手段】
【０００６】
上記目的を達成するため、本発明の第１の観点に係る液晶表示装置は、
液晶パネルと、
前記液晶パネルの表示面に配置された第１の偏光フィルタと、
前記液晶パネルの背面に配置された第２の偏光フィルタと、
前記液晶パネルの背面に配置され、平面視において、少なくとも一部が前記第２の偏光フィルタの一部と重なる第３の偏光フィルタと、を備え、
前記第２の偏光フィルタと前記第３の偏光フィルタとは、前記液晶パネルの表示面から前記第２の偏光フィルタ、前記第３の偏光フィルタの順に配置され、
前記第２の偏光フィルタは、所定の色の波長域の光については偏光作用を及ぼさず透過させるカラー偏光フィルタであり、前記第３の偏光フィルタは透過軸に平行な偏光のみを透過させる偏光フィルタであり、
平面視において、前記第１の偏光フィルタと前記第２の偏光フィルタが重なる第１の表示領域と、前記第１の偏光フィルタと前記第３の偏光フィルタが重なり、前記第２の偏光フィルタの一部が少なくとも一部に重なる第２の表示領域とを有し、
前記第１の表示領域に表示される第１の表示要素の表示色と前記第２の表示領域に表示される第２の表示要素の表示色、又は、前記第１の表示領域における背景の表示色と前記第２の表示領域における背景の表示色とが異なる、
ことを特徴とする。
【発明の効果】
【０００７】
本発明によれば、構造が簡単で、表示色の異なる複数の表示領域を有する液晶表示装置を提供することができる。
【図面の簡単な説明】
【０００８】
【図１】本発明の実施の形態１に係る液晶表示装置を備える計器装置の概略正面図である。
【図２】図１に示す計器装置のＡ−Ａ線概略断面図である。
【図３】実施の形態１に係る液晶表示装置の構成を示す概略断面図である。
【図４】実施の形態１に係る液晶表示装置の表示領域に表示される表示要素及び背景を示した図である。
【図５】実施の形態１における第１の表示領域の背景の表示を示す模式図である。
【図６】実施の形態１における第１の表示領域の表示要素の表示を示す模式図である。
【図７】実施の形態１における第２の表示領域の背景の表示を示す模式図である。
【図８】実施の形態１における第２の表示領域の表示要素の表示を示す模式図である。
【図９】実施の形態３に係る液晶表示装置の概略断面図である。
【図１０】実施の形態４における第１の表示領域の背景の表示を示す模式図である。
【図１１】実施の形態４における第１の表示領域の表示要素の表示を示す模式図である。
【図１２】実施の形態４における第２の表示領域の背景の表示を示す模式図である。
【図１３】実施の形態４における第２の表示領域の表示要素の表示を示す模式図である。
【図１４】液晶表示装置の構成を示す概略断面図である。
【図１５】実施の形態５における第１の表示領域の背景の表示を示す模式図である。
【図１６】実施の形態５における第１の表示領域の表示要素の表示を示す模式図である。
【図１７】実施の形態５における第２の表示領域の背景の表示を示す模式図である。
【図１８】実施の形態５における第２の表示領域の表示要素の表示を示す模式図である。
【図１９】実施の形態６における第１の表示領域の背景の表示を示す模式図である。
【図２０】実施の形態６における第１の表示領域の表示要素の表示を示す模式図である。
【図２１】実施の形態６における第２の表示領域の背景の表示を示す模式図である。
【図２２】実施の形態６における第２の表示領域の表示要素の表示を示す模式図である。
【図２３】実施の形態７における第１の表示領域の背景の表示を示す模式図である。
【図２４】実施の形態７における第１の表示領域の表示要素の表示を示す模式図である。
【図２５】実施の形態７における第２の表示領域の背景の表示を示す模式図である。
【図２６】実施の形態７における第２の表示領域の表示要素の表示を示す模式図である。
【発明を実施するための形態】
【０００９】
（実施の形態１）
本発明の実施の形態１に係る液晶表示装置について図面を参照して説明する。
【００１０】
本実施の形態に係る液晶表示装置１は、図１、２に示すように、車両に搭載される計器装置１００に備えられる。液晶表示装置１は計測量（例えば、走行距離、燃料残量）を表示する。
以下では、計器装置１００の概略構成を説明した後、本実施の形態における液晶表示装置１について詳述する。
【００１１】
（計器装置１００の構成）
計器装置１００は、図１、２に示すように、液晶表示装置１と、指針式計器２と、表示板３と、中ケース４と、制御部（図示せず）を含む回路基板５と、裏ケース６と、表ケース７と、を備える。
【００１２】
指針式計器２は、電動機２０と、指針２１と、を備える。指針式計器２は、表示板３上を回転する指針２１と、表示板３の指標部３０との対比によって、計測量（例えば、車速）を示す。指針２１は電動機２０の動力によって回転する。電動機２０は、例えばステッピングモータから構成される。電動機２０は、回路基板５に実装される。電動機２０は、制御部の制御によって計測量（例えば、車速）に応じて回転軸２０ａを回転させる。指針２１は、電動機２０の回転軸２０ａに取り付けられる。そして、指針２１は、回転軸２０ａの回転に伴って回転する。また、指針２１は導光体（図示せず）を備える。指針２１の導光体は、回転軸２０ａ近傍に設けられた受光部（図示せず）によって受光した後述の光源５ｂからの光を、指針２１の先端まで導きながら出射する。
【００１３】
表示板３は、透明樹脂等から構成される。表示板３は、所定の印刷を施される。表示板３は、中ケース４に載置される。例えば、一部が白抜き文字とされた遮光性の印刷層（例えば、黒色の印刷層）が、表示板３の使用者に対する反対面の概ね全面に形成される（白抜き文字の部分には、遮光性の印刷層は形成されない）。表示板３は、白抜き文字によって目盛３０ａ、数値３０ｂ等の指標部３０を表す。また、白抜き文字を形成する遮光性の印刷層とは別に、透光性又は遮光性の他の印刷層が、表示板３の使用者に対する反対面の一部に形成される。表示板３は、他の印刷層によって指針２１の回動範囲に沿う略リング状の装飾意匠３１を表す。表示板３が後述の光源５ｃによって照明される場合、光源５ｃからの光が指標部３０から使用者の方向へ出射する。また、装飾意匠３１を表す印刷層が透光性を有する場合には、光源５ｃからの光は装飾意匠３１からも出射する。計器装置１００は、これらの出射光、指針式計器２、指針２１によって計測量を表示する。また、液晶表示装置１の表示面を露出させる表示窓３ａが表示板３に形成される。
【００１４】
中ケース４は、ポリプロピレン（polypropylene）樹脂等から構成される。中ケース４は表示板３を保持する。また、回路基板５が中ケース４の使用者に対する反対に配設される。中ケース４は、後述の光源５ａ，５ｂ，５ｃからの光を液晶表示装置１、指針２１、表示板３に導く照明室を有する。光源５ｃからの光を表示板３に導く照明室４１は、表示板３の指標部３０等を照明するリフレクタ構造を有する。このリフレクタ構造によって、光源５ｃからの光は表示板３にムラなく照射される。
【００１５】
回路基板５は、ガラス繊維を含む樹脂等から構成された板状の基材に、所定の配線パターンが形成されたプリント回路板である。電動機２０、光源５ａ，５ｂ，５ｃ、制御部（図示せず）等が回路基板５に実装される。光源５ａ，５ｂ，５ｃは、例えば、白色光を使用者の方向に（表示板３方向）に向け出射するＬＥＤ（Light Emitting Diode）から構成される。制御部は、車両ＥＣＵ（Electronic Control Unit）から通信ラインによって伝送される情報等から、各種計測量（車速、走行距離、燃料残量等）を求める。制御部は、液晶表示装置１、指針式計器２の動作を制御する。そして、制御部は求められた計測量を液晶表示装置１、指針式計器２に表示させる。制御部は、マイコンと、液晶表示装置１、電動機２０、光源５ａ，５ｂ，５ｃを駆動するドライバＩＣ（Integrated Circuit）と、を有する。
【００１６】
裏ケース６は、ポリプロピレン（polypropylene）樹脂等から構成される。裏ケース６は、回路基板５を保護するために、回路基板５を覆う。裏ケース６は、中ケース４と図示しないフック等によって結合（嵌合）される。
【００１７】
表ケース７は、透光性のガラスカバー７ａと、見返し部材７ｂと、を備える。見返し部材７ｂは、遮光性の樹脂等から構成される。見返し部材７ｂは、表示板３の視認領域と非視認領域を区画する。また、見返し部材７ｂは、中ケース４と図示しないフック等によって結合（嵌合）される。さらに、見返し部材７ｂと中ケース４は表示板３を挟持する。ガラスカバー７ａは、見返し部材７ｂの使用者側の端部に、図示しないフック等によって結合（嵌合）される。
【００１８】
（液晶表示装置１の構成）
液晶表示装置１は、図３に示すように、液晶パネル１０と、第１の偏光フィルタ１１と、第２の偏光フィルタ１２と、第３の偏光フィルタ１３と、を備える。また、液晶表示装置１は、拡散板１４と、各部を収納する筐体（図示せず）と、を備える。筐体は、アルミニウム等の金属又は樹脂から構成される。なお、図３では、液晶パネル１０のハッチングを省略した（後述の図９、図１４も同様）。液晶表示装置１は、中ケース４に保持される（図２）。
【００１９】
液晶パネル１０は、互いに対向する一対の透明基板１０ａ，１０ｂと、透明基板１０ａ，１０ｂによって狭持される液晶１０ｅと、を備える。
【００２０】
透明基板１０ａ，１０ｂは、例えば、ガラス、プラスチック等から構成される。透明基板１０ａ，１０ｂは互いに対向する面に透明電極部１０ｃ，１０ｄを有する。また、透明電極部１０ｃ，１０ｄを覆う配向膜（図示せず）が、透明基板１０ａ，１０ｂの互いに対向する面に形成される。透明基板１０ａは液晶パネル１０の使用者側に位置する。また透明基板１０ｂは液晶パネル１０の使用者の反対側に位置する。
【００２１】
透明電極部１０ｃ，１０ｄは、例えば、ＩＴＯ（Indium Tin Oxide）膜から構成される。透明電極部１０ｃは、後述する各表示要素の形状を表す複数のセグメント電極から構成される。透明電極部１０ｄは、複数のセグメント電極と対向する分割されたコモン電極から構成される。セグメント電極、コモン電極は、公知の方法（スパッタ、蒸着、エッチング等）によって形成される。透明電極部１０ｃ，１０ｄには、パッシブ駆動方式によって電圧が印加される。つまり、液晶パネル１０は、セグメント表示を行うパッシブ駆動方式の液晶パネルである。
【００２２】
液晶表示装置１は、平面視した場合に透明電極部１０ｃと透明電極部１０ｄが重なる部分において、各表示要素を表示する。液晶表示装置１は、独立した表示要素又は複数の表示要素の組み合わせによって、記号（文字、数字を含む）、図形を表す所定の意匠を表示する。液晶表示装置１は、一対の透明電極部１０ｃ，１０ｄの間に閾値以上の電圧が印加されることによって、表示領域８（図４）に表示要素を表示する。なお、表示要素とは、透明電極部１０ｃ，１０ｄの間に閾値以上の電圧が印加された場合に、表示領域８に表示される独立した一の形状である。
【００２３】
本実施の形態では、図４に示すように、液晶表示装置１の表示領域８が、背景の表示色が異なる第１の表示領域８１と第２の表示領域８２とに分割される。例えば、第１の表示領域８１と第２の表示領域８２に、異なる情報が報知される。具体的には、複数の表示要素Ｓ１の組合せによって、７セグメントで表される数値と「ｋｍ」という単位を示す文字とから構成された意匠が、第１の表示領域８１に表示される。これにより、第１の表示領域８１においては、車両の走行距離を報知することが可能となる。複数の表示要素Ｓ２の組合せによって、Ｅｍｐｔｙを示す「Ｅ」とＦｕｌｌを示す「Ｆ」とバーグラフから構成された意匠が、第２の表示領域８２に表示される。これにより、第２の表示領域８２においては、燃料残量を報知することが可能となる。また、液晶表示装置１においては、例えば、第１の表示領域８１における背景Ｂ１の表示色、表示要素Ｓ１の表示色が、それぞれ「青色」、「白色」に表示される。また、第２の表示領域８２における背景Ｂ２の表示色、表示要素Ｓ２の表示色が、それぞれ「黒色」、「白色」に表示される。表示要素と背景の表示については、後に詳述する。
【００２４】
液晶１０ｅは、例えば、ネマティック液晶材である。配向膜（図示せず）は、液晶１０ｅと接する。また、配向膜は液晶１０ｅの配向状態を規定する。配向膜は、例えばポリイミドから構成される。配向膜は、公知の方法（例えば、フレキソ印刷）によって形成される。透明基板１０ａ，１０ｂ上に形成された配向膜は、互いに直交する方向に配向処理（ラビング処理）を施される。液晶１０ｅの分子長軸の向きは、配向膜の配向規制力によって、透明基板１０ａ，１０ｂの間で９０°ねじれる。また、液晶１０ｅの分子長軸は、一方の透明基板（例えば透明基板１０ａ）から他方の透明基板（例えば透明基板１０ｂ）に向かって少しずつ回転する（カイラル構造）。つまり、本実施の形態に係る液晶表示装置１は、ＴＮ（Twisted Nematic）型の液晶表示装置である。なお、以下の実施の形態の説明では、液晶表示装置１の構成の理解を容易にするため、液晶表示装置１はＴＮ型の液晶表示装置として説明する。
【００２５】
第１の偏光フィルタ１１は、入射した光のうち、透過軸１１ａに平行な偏光成分の光を透過させる。一方、第１の偏光フィルタ１１は、第１の偏光フィルタ１１の透過軸１１ａと直交する偏光成分の光（透過軸１１ａと直交する吸収軸（図示せず）に平行な偏光成分の光）を吸収する。第１の偏光フィルタ１１は、例えば、吸収型偏光板である。第１の偏光フィルタ１１は、液晶パネル１０の表示面に配置される（例えば、透明基板１０ａの使用者側の面に接着される）。
【００２６】
第２の偏光フィルタ１２は、所定の色の波長域の光については偏光作用を及ぼさずに透過させる。また、第２の偏光フィルタ１２は、所定の色以外の波長域の光における透過軸１２ａに平行な偏光成分の光を透過させる。一方、第２の偏光フィルタ１２は、所定の色以外の波長域の光における透過軸１２ａに直交する偏光成分の光（透過軸１２ａに直交する吸収軸に平行な偏光成分の光）を吸収する。例えば、第２の偏光フィルタ１２は、カラー偏光フィルタ（カラー偏光板）である。本実施の形態では、第２の偏光フィルタ１２は青色偏光板である。青色偏光板である第２の偏光フィルタ１２は、入射した光のうち、青色の波長域の光（青色の光）に偏光作用を及ばさずに透過させる。また、第２の偏光フィルタ１２は青色以外の波長域の光における透過軸１２ａに平行な偏光成分の光（直線偏光）を透過させる。一方、第２の偏光フィルタ１２は青色以外の波長域の光における透過軸１２ａと直交する偏光成分の光（透過軸１２ａと直交する吸収軸に平行な偏光成分の光）を吸収する。第２の偏光フィルタ１２は、液晶パネル１０の背面に配置される（例えば、透明基板１０ｂの使用者に対する反対面に接着される）。
【００２７】
第３の偏光フィルタ１３は、入射した光のうち、透過軸１３ａに平行な偏光成分の光を透過させる。一方、第３の偏光フィルタ１３は、透過軸１３ａと直交する偏光成分の光（透過軸１３ａと直交する吸収軸に平行な偏光成分の光）を吸収する。第３の偏光フィルタ１３は、例えば、吸収型偏光板である。第３の偏光フィルタ１３は、液晶パネル１０の背面に第２の偏光フィルタ１２の一部と重なるように配置される（例えば、第２の偏光フィルタ１２の使用者の反対側の面に接着される）。
【００２８】
第１の偏光フィルタ１１と第２の偏光フィルタ１２は同じ外形を有する。第１の偏光フィルタ１１と第２の偏光フィルタ１２は、平面視において、重なるように配置される。また、第３の偏光フィルタ１３の外形は、第２の偏光フィルタ１２の外形よりも小さい。第３の偏光フィルタ１３は、平面視において、第３の偏光フィルタ１３の全てが第２の偏光フィルタ１２の一部と重なるように配置される。第３の偏光フィルタ１３は、図３に示すように、第２の偏光フィルタ１２の下半分を覆うように配置される。
第１の偏光フィルタ１１、第２の偏光フィルタ１２、第３の偏光フィルタ１３の透過軸１１ａ，１２ａ，１３ａは、図５〜図８に示すように、互いに平行に配置される（パラレルニコル配置）。
【００２９】
拡散板１４は、光源５ａから入射した光を拡散する。拡散された光源５ａからの光は、液晶パネル１０に入射する。拡散板１４は、例えば、ランダムに配置された複数のマイクロレンズを有するシートから構成される。光源５ａからの光は拡散板１４によって均一に拡散されるので、液晶表示装置１は、均一な表示を実現できる。拡散板１４と光源５ａは、液晶表示装置１において、バックライトとして機能する。つまり、本実施の形態に係る液晶表示装置１は、透過型の液晶表示装置である。
【００３０】
以上の構成からなる本実施の形態における液晶表示装置１では、第１の表示領域８１の背景Ｂ１の表示色は、使用者に青色に視認される。また、第２の表示領域８２の背景Ｂ２の表示色は、使用者に黒色に視認される。さらに、第１の表示領域８１、第２の表示領域８２の表示要素Ｓ１，Ｓ２の表示色は、使用者に白色に視認される。本実施の形態における液晶表示装置１の背景Ｂ１，Ｂ２と表示要素Ｓ１，Ｓ２の表示について、図５〜図８を参照して説明する。
【００３１】
透明電極部１０ｃと透明電極部１０ｄの間に、液晶１０ｅの閾値以上の電圧が印加された場合、液晶１０ｅの分子長軸は、電圧の印加方向（電界方向）に配向する。すなわち、透明電極部１０ｃと透明電極部１０ｄの間に液晶１０ｅの閾値以上の電圧が印加された部分では、液晶１０ｅのカイラル構造は失われる。本実施の形態の液晶表示装置１は、この液晶１０ｅのカイラル構造が失われた部分において表示要素Ｓ１，Ｓ２を表示する。また、液晶１０ｅの閾値以上の電圧が印加されない部分では、液晶１０ｅのカイラル構造は維持される。本実施の形態の液晶表示装置１は、このカイラル構造が維持された部分において背景Ｂ１，Ｂ２を表示する。
【００３２】
（第１の表示領域８１の背景Ｂ１）
第１の表示領域８１における背景Ｂ１の表示について、図５を参照して説明する。
光源５ａが出射した白色光は、第２の偏光フィルタ１２に入射する。第２の偏光フィルタ１２は青色偏光板であるので、第２の偏光フィルタ１２に入射した白色光のうち、青色の波長域の光（青色の光）１１１ａは、偏光作用を受けない状態で第２の偏光フィルタ１２から出射する。第２の偏光フィルタ１２から出射した青色の波長域の光１１１ｂは、液晶パネル１０に入射する。上述したように、背景Ｂ１を表示する部分では、液晶１０ｅのカイラル構造は維持されている。したがって、液晶パネル１０に入射した青色の波長域の光１１１ｂは、液晶１０ｅのカイラル構造によって偏光面が９０°回転した状態で、液晶パネル１０から出射する。液晶パネル１０から出射した青色の波長域の光１１１ｃは、第１の偏光フィルタ１１（吸収型偏光板）に入射する。ここで、液晶パネル１０から出射した青色の波長域の光１１１ｃは、第２の偏光フィルタ１２によって偏光作用を受けていないので、第１の偏光フィルタ１１の透過軸１１ａに平行な直線偏光と垂直な直線偏光を含む。したがって、第１の偏光フィルタ１１に入射した青色の波長域の光１１１ｃは、第１の偏光フィルタ１１の透過軸１１ａに平行な直線偏光１１１ｄとして、第１の偏光フィルタ１１から出射する。
【００３３】
一方、第２の偏光フィルタ１２に入射した白色光のうち、青色以外の波長域の光（青色以外の光）１１２ａは、第２の偏光フィルタ１２の透過軸１２ａに平行な青色以外の波長域の直線偏光１１２ｂとして第２の偏光フィルタ１２から出射する。液晶パネル１０に入射した青色以外の波長域の直線偏光１１２ｂは、液晶１０ｅのカイラル構造によって偏光面が９０°回転した状態で、液晶パネル１０から出射する。したがって、液晶パネル１０から出射した青色以外の波長域の直線偏光１１２ｃは、第２の偏光フィルタ１２の透過軸１２ａと平行な透過軸１１ａを有する第１の偏光フィルタ１１を透過できない。
以上のように、青色の波長域の直線偏光１１１ｄが第１の偏光フィルタ１１から出射するので、第１の表示領域８１の背景Ｂ１の表示色は、青色になる。
【００３４】
（第１の表示領域８１の表示要素Ｓ１）
第１の表示領域８１における表示要素Ｓ１の表示について、図６を参照して説明する。
光源５ａが出射した白色光は、第２の偏光フィルタ１２に入射する。第２の偏光フィルタ１２は青色偏光板であるので、第２の偏光フィルタ１２に入射した白色光のうち、青色の波長域の光１１３ａは、偏光作用を受けない状態で第２の偏光フィルタ１２から出射する。第２の偏光フィルタ１２から出射した青色の波長域の光１１３ｂは、液晶パネル１０に入射する。前述したように、表示要素Ｓ１が表示された部分では液晶１０ｅのカイラル構造は失われている。したがって、液晶パネル１０に入射した青色の波長域の光１１３ｂは、偏光面を維持した状態で液晶パネル１０から出射する。液晶パネル１０から出射した青色の波長域の光１１３ｃは、第１の偏光フィルタ１１に入射する。ここで、液晶パネル１０から出射した青色の波長域の光１１３ｃは、第２の偏光フィルタ１２によって偏光作用を受けていないので、第１の偏光フィルタ１１の透過軸１１ａに平行な直線偏光と垂直な直線偏光を含む。したがって、第１の偏光フィルタ１１（吸収型偏光板）に入射した青色の波長域の光１１３ｃは、第１の偏光フィルタ１１の透過軸１１ａに平行な直線偏光１１３ｄとして、第１の偏光フィルタ１１から出射する。
【００３５】
一方、第２の偏光フィルタ１２に入射した白色光のうち、青色以外の波長域の光１１４ａは、第２の偏光フィルタ１２の透過軸１２ａに平行な直線偏光１１４ｂとして第２の偏光フィルタ１２から出射する。液晶パネル１０に入射した青色以外の波長域の直線偏光１１４ｂは、青色の波長域の光１１３ｂと同様に、偏光面を維持した状態で液晶パネル１０から出射する。第１の偏光フィルタ１１の透過軸１１ａは第２の偏光フィルタ１２の透過軸１２ａと平行であるので、液晶パネル１０から出射した青色以外の波長域の直線偏光１１４ｃは、第１偏光フィルタ１１を透過する。すなわち、青色以外の波長域の直線偏光１１４ｄが、第１の偏光フィルタ１１から出射する。
第１の偏光フィルタ１１から出射する青色の波長域の直線偏光１１３ｄと青色以外の波長域の直線偏光１１４ｄの比率は、光源５ａから出射される白色光における青色の波長域の光１１３ａと青色以外の波長域の光１１４ａの比率と実質的に等しい。したがって、第１の表示領域８１の表示要素Ｓ１の表示色は、白色になる。
【００３６】
（第２の表示領域８２の背景Ｂ２）
第２の表示領域８２における背景Ｂ２の表示について、図７を参照して説明する。
光源５ａが出射した白色光は、第３の偏光フィルタ１３に入射する。第３の偏光フィルタ１３は吸収型偏光板であるので、入射した白色光１１５ａは、第３の偏光フィルタ１３の透過軸１３ａに平行な直線偏光１１５ｂとして第３の偏光フィルタ１３から出射する。第２の偏光フィルタ１２の透過軸１２ａは第３の偏光フィルタ１３の透過軸１３ａと平行であるので、第３の偏光フィルタ１３から出射した白色の直線偏光１１５ｂは第２の偏光フィルタ１２を透過する。第２の偏光フィルタ１２から出射した白色の直線偏光１１５ｃは、液晶パネル１０に入射する。液晶パネル１０に入射した白色の直線偏光１１５ｃは、液晶１０ｅのカイラル構造によって偏光面が９０°回転した状態で、液晶パネル１０から出射する。液晶パネル１０から出射した白色の直線偏光１１５ｄは、偏光面が９０°回転しているので、第２の偏光フィルタ１２の透過軸１２と平行な透過軸１１ａを有する第１の偏光フィルタ１１を透過できない。したがって、第２の表示領域８２の背景Ｂ２の表示色は、黒色になる。
【００３７】
（第２の表示領域８２の表示要素Ｓ２）
第２の表示領域８２における表示要素Ｓ２の表示について、図８を参照して説明する。
光源５ａが出射した白色光は、第３の偏光フィルタ１３に入射する。第３の偏光フィルタ１３は吸収型偏光板であるので、入射した白色光１１６ａは、第３の偏光フィルタ１３の透過軸１３ａに平行な直線偏光１１６ｂとして第３の偏光フィルタ１３から出射する。第３の偏光フィルタ１３から出射した白色の直線偏光１１６ｂは、第３の偏光フィルタ１３の透過軸１３ａと平行な透過軸１２ａを有する第２の偏光フィルタ１２を透過する。第２の偏光フィルタ１２から出射した白色の直線偏光１１６ｃは、液晶パネル１０に入射する。表示要素Ｓ２が表示された部分では、液晶１０ｅのカイラル構造は失われているので、第２の偏光フィルタ１２から出射した白色の直線偏光１１６ｃは、偏光面を維持した状態で液晶パネル１０から出射する。第１の偏光フィルタ１１の透過軸１１ａと第２の偏光フィルタ１２の透過軸１２ａは平行であるので、液晶パネル１０から出射した白色の直線偏光１１６ｄは、第１の偏光フィルタ１１を透過する。すなわち、白色の直線偏光１１６ｅが第１の偏光フィルタ１１から出射する。したがって、第２の表示領域８２の表示要素Ｓ２の表示色は、白色になる。
【００３８】
以上のように、本実施の形態に係る液晶表示装置１は、第１の表示領域８１の背景Ｂ１の表示色を青色に、第２の表示領域８２の背景Ｂ２の表示色を黒色に表示する。液晶表示装置１では、第２の偏光フィルタ１２と第３の偏光フィルタ１３とが、平面視において重なるように配置されているため、第１の表示領域８１と第２の表示領域８２との間に隙間は生じない。したがって、液晶表示装置１の表示品位は、良好である。また、液晶表示装置１の構造は簡単である。
【００３９】
（実施の形態２）
本実施の形態では、第１の偏光フィルタ１１の透過軸１１ａの配置が、実施の形態１と異なる。本実施の形態では、第１の偏光フィルタ１１の透過軸１１ａは、第２の偏光フィルタ１２の透過軸１２ａ、第３の偏光フィルタ１３の透過軸１３ａと直交に配置される。また、第２の偏光フィルタ１２の透過軸１２ａと第３の偏光フィルタ１３の透過軸１３ａは平行に配置される。その他の構成は、実施の形態１と同様である。この偏光フィルタの配置よって、第１の表示領域８１の表示要素Ｓ１の表示色を青色に、第２の表示領域８２の表示要素Ｓ２の表示色を黒色にすることができる。この場合、第１の表示領域８１の背景Ｂ１、第２の表示領域８２の背景Ｂ２の表示色は白色になる。すなわち、本実施の形態では、実施の形態１における背景の表示色を表示要素の表示色に、表示要素の表示色を背景の表示色にすることができる。
また、第２の偏光フィルタ１２は、赤色偏光板、緑色偏光板等のその他の色のカラー偏光板であってもよい。
【００４０】
（実施の形態３）
本実施の形態では、第３の偏光フィルタ１３の配置が実施の形態１と異なる。
すなわち、図９に示すように、第３の偏光フィルタ１３は第２の偏光フィルタ１２の使用者に対する反対面の２カ所に配置される。その他の構成は、実施の形態１と同様である。図９に示すように、２つの第３の偏光フィルタ１３の間に所定の間隔を設けることによって、第１の表示領域８１を２つの第２の表示領域８２で挟んだ表示も可能となる。また、第３の偏光フィルタ１３を３つ以上設けることもできる。
【００４１】
（実施の形態４）
本実施の形態では、第２の偏光フィルタ１２と第３の偏光フィルタ１３がカラー偏光板であることが実施の形態１と異なる。第２の偏光フィルタ１２、第３の偏光フィルタ１３は、それぞれ所定の第１の色の波長域の光、所定の第２の色の波長域の光については偏光作用を及ばさずに透過させるカラー偏光板である。また、所定の第１の色の波長域は、所定の第２の色の波長域を含む。具体的には、第１の色、第２の色は、それぞれ紫色（赤色と青色）、青色である。すなわち、第２の偏光フィルタ１２、第３の偏光フィルタ１３は、それぞれ紫色偏光板、青色偏光板である。紫色偏光板は、赤色の波長域の光と青色の波長域の光に対して偏光作用を及ぼさない。その他の構成は、実施の形態１と同様である。
【００４２】
（第１の表示領域８１の背景Ｂ１、表示要素Ｓ１）
第１の表示領域８１の背景Ｂ１の表示色は、紫色になる。図１０に示すように、第２の偏光フィルタ１２（紫色偏光板）に入射した光源５ａからの白色光のうち、赤色の波長域、青色の波長域の光１４１ａ，１４２ａは実施の形態１における青色の波長域の光１１１ａと同様に、第２の偏光フィルタ１２、液晶パネル１０、第１の偏光フィルタ１１を透過する（１４１ａ〜１４１ｄ，１４２ａ〜１４２ｄ）。すなわち、赤色の波長域、青色の波長域の直線偏光１４１ｄ，１４２ｄが第１の偏光フィルタ１１（吸収型偏光板）から出射する。一方、図１０に示すように、赤色の波長域の直線偏光１４３ｃは実施の形態１における青色以外の波長域の光１１２ｃと同様に、第１の偏光フィルタ１１を透過できない（１４３ａ〜１４３ｃ）。
また、第１の表示領域８１の表示要素Ｓ１の表示色は、白色になる。第２の偏光フィルタ１２に入射した光源５ａからの白色光のうち、赤色の波長域、青色の波長域の直線偏光１４４ａ，１４５ａは、実施の形態１における青色の波長域の光１１３ａと同様に、第２の偏光フィルタ１２、液晶パネル１０、第１の偏光フィルタ１１を透過する（１４４ａ〜１４４ｄ，１４５ａ〜１４５ｄ）。緑色の波長域の光１４６ａは実施の形態１における青色以外の波長域の光１１４ａと同様に、第２の偏光フィルタ１２、液晶パネル１０、第１の偏光フィルタ１１を透過する（１４６ａ〜１４６ｄ）。すなわち、赤色の波長域、緑色の波長域、青色の波長域の直線偏光１４４ｄ，１４６ｄ，１４５ｄが第１の偏光フィルタ１１から出射する（図１１）。
【００４３】
（第２の表示領域８２の背景Ｂ２）
第２の表示領域８２において、光源５ａから第３の偏光フィルタ１３（青色偏光板）に入射した白色光うち、赤色の波長域の光１４７ａと緑色の波長域の光１４８ａは、第３の偏光フィルタ１３の透過軸１３ａに平行な直線偏光１４７ｂ，１４８ｂとして、第３の偏光フィルタ１３から出射する（図１２）。第２の偏光フィルタ１２（紫色偏光板）の透過軸１２ａは第３の偏光フィルタ１３の透過軸１３ａと平行であるので、これらの直線偏光１４７ｂ，１４８ｂは、第２の偏光フィルタ１２を透過する。第２の偏光フィルタ１２から出射した赤色の波長域、緑色の波長域の直線偏光１４７ｃ，１４８ｃは、液晶パネル１０に入射する。第２の表示領域８２の背景Ｂ２を表示する部分では、液晶１０ｅのカイラル構造は維持されているので、これらの直線偏光１４７ｃ，１４８ｃの偏光面は９０°回転した状態で液晶パネル１０から出射する。第１の偏光フィルタ１１の透過軸１１ａは、第２の偏光フィルタ１２の透過軸と平行であるので、偏光面が９０°回転した赤色の波長域、緑色の波長域の直線偏光１４７ｄ，１４８ｄは、第１の偏光フィルタ１１を透過できない（図１２）。
【００４４】
光源５ａからの白色光うち青色の波長域の光１４９ａは、図１２に示すように、第３の偏光フィルタ１３（青色偏光板）、第２の偏光フィルタ１２（紫色偏光板）を、偏光作用を受けない状態で透過する（第３の偏光フィルタ１３からの出射光は１４９ｂ）。第２の偏光フィルタ１２から出射した青色の波長域の光１４９ｃは、液晶パネル１０に入射する。第２の表示領域８２の背景Ｂ２を表示する部分では、液晶１０ｅのカイラル構造は維持されているので、第２の偏光フィルタ１２から出射した青色の波長域の光１４９ｃは、偏光面が９０°回転した状態で液晶パネル１０から出射する。液晶パネル１０から出射した青色の波長域の光１４９ｄは、第２の偏光フィルタ１２、第３の偏光フィルタ１３によって偏光作用を受けていないので、第１の偏光フィルタ１１の透過軸１１ａに平行な直線偏光と垂直な直線偏光を含む。したがって、液晶パネル１０から出射した青色の波長域の光１４９ｄは、第１の偏光フィルタ１１の透過軸１１ａに平行な直線偏光１４９ｅとして、第１の偏光フィルタ１１から出射する（図１２）。
以上のように、第２の表示領域８２の背景を表示する部分では、青色の波長域の直線偏光１４９ｅが第１の偏光フィルタ１１から出射する。したがって、第２の表示領域８２の背景色Ｂ２は、青色になる。
【００４５】
（第２の表示領域８２の表示要素Ｓ２）
第２の表示領域８２の表示要素Ｓ２が表示された部分では、液晶１０ｅのカイラル構造は失われているので、いずれの波長域の光も偏光面を維持した状態で、液晶パネル１０から出射する。したがって、第２の偏光フィルタ１２から出射した赤色の波長域、緑色の波長域の直線偏光１４７ｃ，１４８ｃは、液晶パネル１０から赤色の波長域、緑色の波長域の直線偏光１４７ｅ，１４８ｅとして出射する（図１３）。そして、赤色の波長域、緑色の波長域の直線偏光１４７ｆ，１４８ｆが第１の偏光フィルタ１１から出射する（図１３）。また、第２の偏光フィルタから出射した青色の波長域の光１４９ｃは、液晶パネル１０から青色の波長域の光１４９ｆとして出射する。そして、第１の偏光フィルタ１１の透過軸１１ａに平行な青色の波長域の直線偏光１４９ｇが、第１の偏光フィルタ１１から出射する（図１３）。したがって、第２の表示領域８２の表示要素Ｓ２の表示色は白色になる。
【００４６】
以上のように、本実施の形態では、第１の表示領域８１の背景Ｂ１の表示色（紫色）、第２の表示領域８２の背景Ｂ２の表示色（青色）を、異なる有彩色にすることができる。
なお、図１４に示すように、第２の表示領域８２において第２の偏光フィルタ１２の一部と第３の偏光フィルタ１３の一部が重なる場合であっても、第２の表示領域８２の背景Ｂ２全体の表示色は青色になる。
【００４７】
（実施の形態５）
本実施の形態では、所定の第１の色の波長域の一部と所定の第２の色の波長域の一部が重なる点が実施の形態４と異なる。例えば、第２の偏光フィルタ１２は、赤色の波長域の光と緑色の波長域の光に対して偏光作用を及ぼさない（黄色偏光板）。また、第３の偏光フィルタ１３は、緑色の波長域の光と青色の波長域の光に対して偏光作用を及ぼさない（水色（シアン）偏光板）。その他の構成は、実施の形態４と同様である。
【００４８】
（第１の表示領域８１の背景Ｂ１、表示要素Ｓ１）
第１の表示領域８１の背景Ｂ１の表示色は、黄色（赤色と緑色）になる。図１５に示すように、第２の偏光フィルタ１２（黄色偏光板）に入射した光源５ａからの白色光のうち、赤色の波長域、緑色の波長域の光１５１ａ，１５２ａは、実施の形態１における青色の波長域の光１１１ａと同様に、第２の偏光フィルタ１２、液晶パネル１０、第１の偏光フィルタ１１を透過する（１５１ａ〜１５１ｄ，１５２ａ〜１５２ｄ）。すなわち、赤色の波長域、緑色の波長域の直線偏光１５１ｄ，１５２ｄが第１の偏光フィルタ１１（吸収型偏光板）から出射する。一方、青色の波長域の直線偏光１５３ｃは、実施の形態１における青色以外の波長域の光１１２ｄと同様に、第１の偏光フィルタ１１を透過できない（１５３ａ〜１５３ｃ）。
また、第１の表示領域８１の表示要素Ｓ１の表示色は、白色になる。図１６に示すように、赤色の波長域、緑色の波長域の光１５４ａ，１５５ａは、実施の形態１における青色の波長域の光１１３ａと同様に、第２の偏光フィルタ１２、液晶パネル１０、第１の偏光フィルタ１１を透過する（１５４ａ〜１５４ｄ，１５５ａ〜１５５ｄ）。青色の波長域の光１５６ａは、実施の形態１における青色以外の波長域の光１１４ａと同様に、第２の偏光フィルタ１２、液晶パネル１０、第１の偏光フィルタ１１を透過する（１５６ａ〜１５６ｄ）。すなわち、赤色の波長域、緑色の波長域、青色の波長域の直線偏光１５４ｄ，１５５ｄ，１５６ｄが第１の偏光フィルタ１１から出射する（図１６）。
【００４９】
（第２の表示領域８２の背景Ｂ２）
第２の表示領域８２において、光源５ａから第３の偏光フィルタ１３（水色偏光板）に入射した白色光うち、赤色の波長域の光１５７ａは、第３の偏光フィルタ１３の透過軸１３ａに平行な直線偏光１５７ｂとして、第３の偏光フィルタ１３から出射する（図１７）。第２の偏光フィルタ１２（黄色偏光板）の透過軸１２ａと第３の偏光フィルタ１３の透過軸１３ａは平行であるので、赤色の波長域の直線偏光１５７ｂは、第２の偏光フィルタ１２を透過する（図１７）。光源５ａからの白色光うち青色の波長域の光１５８ａは、第３の偏光フィルタ１３（水色偏光板）を、偏光作用を受けない状態で透過する。第３の偏光フィルタ１３から出射した青色の波長域の光１５８ｂは第２の偏光フィルタ１２（黄色偏光板）に入射する。そして、青色の波長域の光１５８ｂは、第２の偏光フィルタ１２の透過軸１２ａに平行な直線偏光１５８ｃとして、第２の偏光板フィルタ１２から出射する（図１７）。
【００５０】
第２の偏光フィルタ１２から出射した赤色の波長域、青色の波長域の直線偏光１５７ｃ，１５８ｃは、液晶パネル１０に入射する。第２の表示領域８２の背景Ｂ２を表示する部分では、液晶１０ｅのカイラル構造は維持されているので、これらの直線偏光１５７ｃ，１５８ｃの偏光面は９０°回転した状態で液晶パネル１０から出射する。第１の偏光フィルタ１１の透過軸１１ａは、第２の偏光フィルタ１２の透過軸と平行であるので、偏光面が９０°回転した赤色の波長域、青色の波長域の直線偏光１５７ｄ，１５８ｄは、第１の偏光フィルタ１１を透過できない（図１７）。
【００５１】
図１７に示すように、光源５ａからの白色光うち、緑色の波長域の光１５９ａは、第３の偏光フィルタ１３（水色偏光板）、第２の偏光フィルタ１２（黄色偏光板）を、偏光作用を受けない状態で透過する（第３の偏光フィルタ１３からの出射光は１５９ｂ）。第２の偏光フィルタ１２から出射した緑色の波長域の光１５９ｃは、液晶パネル１０に入射する。第２の表示領域８２の背景Ｂ２を表示する部分では、液晶１０ｅのカイラル構造は維持されているので、緑色の波長域の光１５９ｃは、偏光面が９０°回転した状態で液晶パネル１０から出射する。液晶パネル１０から出射した緑色の波長域の光１５９ｄは、第２の偏光フィルタ１２、第３の偏光フィルタ１３によって偏光作用を受けていないので、第１の偏光フィルタ１１の透過軸１１ａに平行な直線偏光と垂直な直線偏光を含む。したがって、緑色の波長域の光１５９ｄは、第１の偏光フィルタ１１の透過軸１１ａに平行な直線偏光１５９ｅとして、第１の偏光フィルタ１１から出射する（図１７）。
以上のように、第２の表示領域８２の背景を表示する部分では、緑色の波長域の直線偏光１５９ｅが第１の偏光フィルタ１１から出射する。したがって、第２の表示領域８２の背景色Ｂ２は緑色になる。
【００５２】
（第２の表示領域８２の表示要素Ｓ２）
第２の表示領域８２の表示要素Ｓ２が表示された部分では、液晶１０ｅのカイラル構造は失われているので、いずれの波長域の光も偏光面を維持した状態で、液晶パネル１０から出射する（図１８）。したがって、第２の偏光フィルタ１２を透過した赤色の波長域、青色の波長域の直線偏光１５７ｃ，１５８ｃは、液晶パネル１０から、赤色の波長域、青色の波長域の直線偏光１５７ｅ，１５８ｅとして出射する。そして、赤色の波長域、青色の波長域の直線偏光１５７ｆ，１５８ｆが第１の偏光フィルタ１１から出射する（図１８）。また、第２の偏光フィルタ１２を透過した緑色の波長域の光１５９ｃは、液晶パネル１０から緑色の波長域の光１５９ｆとして出射する。そして、第１の偏光フィルタ１１の透過軸１１ａに平行な緑色の波長域の直線偏光１５９ｇが、第１の偏光フィルタ１１から出射する。したがって、第２の表示領域８２の表示要素Ｓ２の表示色は白色になる。
【００５３】
以上のように、本実施の形態では、第１の表示領域８１の背景Ｂ１の表示色（黄色）、第２の表示領域８２の背景Ｂ２の表示色（緑色）を、異なる有彩色にすることができる。
【００５４】
（実施の形態６）
本実施の形態では、第２の偏光フィルタ１２を吸収型偏光板、第３の偏光フィルタ１３を青色偏光板とする。また、第２の偏光フィルタ１２の透過軸１２ａは、第１の偏光フィルタ１１の透過軸１１ａ、第３の偏光フィルタ１３の透過軸１３ａと直交に配置される（図１９〜図２２）。その他の構成は、実施の形態１と同様である。
【００５５】
（第１の表示領域８１の背景Ｂ１）
第１の表示領域８１において、光源５ａが出射した白色光は、第２の偏光フィルタ（吸収型偏光板）に入射する（図１９）。第２の偏光フィルタに入射した白色光１６１ａは、第２の偏光フィルタ１２の透過軸１２ａに平行な直線偏光１６１ｂとして第２の偏光フィルタ１２から出射する。第２の偏光フィルタ１２から出射した白色の直線偏光１６１ｂは、液晶パネル１０に入射する。第２の表示領域８２の背景Ｂ２を表示する部分では、液晶１０ｅのカイラル構造は維持されているので、白色の直線偏光１６１ｂの偏光面は９０°回転した状態で液晶パネル１０から出射する。第１の偏光板１１（吸収型偏光板）の透過軸１１ａと第２の偏光板１２の透過軸１２ａは直交しているので、液晶パネル１０から出射した白色の直線偏光１６１ｃは、第１の偏光板１１を透過する。すなわち、白色の直線偏光１６１ｄが第１の偏光フィルタから出射する。したがって、第１の表示領域８１の背景Ｂ１の表示色は、白色になる（図１９）。
【００５６】
（第１の表示領域８１の表示要素Ｓ１）
第１の表示領域８１の表示要素Ｓ１が表示された部分では、液晶１０ｅのカイラル構造は失われているので、液晶パネル１０に入射した白色の直線偏光１６１ｂは偏光面を維持した状態で、液晶パネル１０から出射する（図２０）。第１の偏光板１１（吸収型偏光板）の透過軸１１ａと第２の偏光板１２の透過軸１２ａは直交しているので、液晶パネル１０から出射した白色の直線偏光１６１ｅは、第１の偏光板１１を透過できない。したがって、第１の表示領域８１の表示要素Ｓ１の表示色は、黒色になる（図２０）。
【００５７】
（第２の表示領域８２の背景Ｂ２）
第２の表示領域８２において、光源５ａが出射した白色光は、第３の偏光フィルタ１３（青色偏光板）に入射する（図２１）。第３の偏光フィルタ１３に入射した白色光のうち、赤色の波長域、緑色の波長域の光１６３ａ，１６４ａは、第３の偏光フィルタ１３の透過軸１３ａに平行な直線偏光１６３ｂ，１６４ｂとして、第３の偏光フィルタ１３から出射する。第２の偏光フィルタ１２（吸収型偏光板）の透過軸１２ａと第３の偏光フィルタ１３の透過軸１３ａは直交であるので、これらの直線偏光１６３ｂ，１６４ｂは、第２の偏光フィルタ１２を透過できない（図２１）。
【００５８】
第３の偏光フィルタ１３は青色偏光板であるので、第３の偏光フィルタ１３に入射した白色光のうち、青色の波長域の光１６５ａは、偏光作用を受けない状態で第３の偏光フィルタ１３を透過する（図２１）。第３の偏光フィルタ１３から出射した青色の波長域の光１６５ｂは、第３の偏光フィルタ１３によって偏光作用を受けていないので、第２の偏光フィルタ１２（吸収型偏光板）の透過軸１２ａに平行な直線偏光と垂直な直線偏光を含む。したがって、第３の偏光フィルタ１３から出射した青色の波長域の光１６５ｂは、第２の偏光フィルタ１２の透過軸１２ａに平行な直線偏光１６５ｃとして、第２の偏光フィルタ１２から出射する。第２の表示領域８２の背景Ｂ２を表示する部分では、液晶１０ｅのカイラル構造は維持されているので、青色の波長域の直線偏光１６５ｃは、偏光面が９０°回転した状態で液晶パネル１０から出射する。第１の偏光フィルタ１１の透過軸１１ａは、第２の偏光フィルタ１２の透過軸と直交であるので、偏光面が９０°回転した青色の波長域の直線偏光１６５ｄは、第１の偏光フィルタ１１を透過する。すなわち、青色の波長域の直線偏光１６５ｅが第１の偏光フィルタ１１から出射する。したがって、第２の表示領域８２の背景Ｂ２の表示色は、青色になる（図２１）。
【００５９】
（第２の表示領域８２の表示要素Ｓ２）
第２の表示領域８２の表示要素Ｓ２が表示された部分では、液晶１０ｅのカイラル構造は失われているので、第２の偏光フィルタ１２を透過した青色の波長域の直線偏光１６５ｃは、偏光面を維持した状態で液晶パネル１０から出射する（図２２）。第１の偏光フィルタ１１の透過軸１１ａは、第２の偏光フィルタ１２の透過軸と直交であるので、液晶パネル１０を出射した青色の波長域の直線偏光１６５ｆは、第１の偏光フィルタ１１を透過できない。したがって、第２の表示領域８２の表示要素Ｓ２の表示色は、黒色になる（図２２）。
【００６０】
以上のように、本実施の形態においては、第１の表示領域８１の背景Ｂ１、第２の表示領域８２の背景Ｂ２の表示色は、それぞれ白色、青色になる。また、第１の表示領域８１の表示要素Ｓ１、第２の表示領域８２の表示要素Ｓ２の表示色は、ともに黒色になる。本実施の形態においては、第１の表示領域８１の背景Ｂ１の表示色、第２の表示領域８２の背景Ｂ２の表示色を、異なる色にすることができる。
さらに、図１４に示すように、第２の表示領域８２において第２の偏光フィルタ１２の一部と第３の偏光フィルタ１３の一部が重なっている場合であっても、第２の表示領域８２の背景Ｂ２全体の表示色は青色になる。
【００６１】
なお、本実施の形態における第２の偏光フィルタを青色偏光板、第３の偏光フィルタを吸収型偏光板とした場合には、第１の表示領域８１の背景Ｂ１、第２の表示領域８２の背景Ｂ２の表示色は、それぞれ白色、黒色になる。また、第１の表示領域８１の表示要素Ｓ１、第２の表示領域８２の表示要素Ｓ２の表示色は、ともに青色になる。
【００６２】
（実施の形態７）
本実施の形態では、第２の偏光フィルタ１２を青色偏光板、第３の偏光フィルタ１３を赤色偏光板とする点が実施の形態６と異なる。その他の構成は、実施の形態６と同様である。
【００６３】
（第１の表示領域８１の背景色Ｂ１）
第１の表示領域８１において、光源５ａが出射した白色光は、第２の偏光フィルタ（青色偏光板）に入射する（図２３）。第２の偏光フィルタ１２に入射した白色光のうち、赤色の波長域、緑色の波長域の光１７１ａ，１７２ａは、第２の偏光フィルタ１２の透過軸１２ａに平行な直線偏光１７１ｂ，１７２ｂとして、第２の偏光フィルタ１２から出射する。第２の偏光フィルタ１２から出射したこれらの直線偏光１７１ｂ，１７２ｂは、液晶パネル１０に入射する。第１の表示領域８１の背景Ｂ１を表示する部分では、液晶１０ｅのカイラル構造は維持されているので、これらの直線偏光１７１ｂ，１７２ｂの偏光面は９０°回転した状態で液晶パネル１０から出射する。第１の偏光フィルタ１１の透過軸１１ａは、第２の偏光フィルタ１２の透過軸と直交であるので、偏光面が９０°回転した赤色の波長域、緑色の波長域の直線偏光１７１ｃ，１７２ｃは、第１の偏光フィルタ１１を透過する。すなわち、赤色の波長域、緑色の波長域の直線偏光１７１ｄ，１７２ｄが第１の偏光フィルタ１１から出射する（図２３）。
【００６４】
第２の偏光フィルタ１２に入射した白色光のうち、青色の波長域の光１７３ａは、第２の偏光フィルタ１２（青色偏光板）を、偏光作用を受けない状態で透過する（図２３）。第２の偏光フィルタ１２から出射した青色の波長域の光１７３ｂは、液晶パネル１０に入射する。第１の表示領域８１の背景Ｂ２を表示する部分では、液晶１０ｅのカイラル構造は維持されているので、青色の波長域の光１７３ｂは、偏光面が９０°回転した状態で液晶パネル１０から出射する。液晶パネル１０から出射した青色の波長域の光１７３ｃは、第２の偏光フィルタ１２によって偏光作用を受けていないので、第１の偏光フィルタ１１の透過軸１１ａに平行な直線偏光と垂直な直線偏光を含む。したがって、青色の波長域の光１７３ｃは、第１の偏光フィルタ１１（吸収型偏光板）の透過軸１１ａに平行な直線偏光１７３ｄとして、第１の偏光フィルタ１１から出射する（図２３）。
以上のように、第１の表示領域８１の背景Ｂ１を表示する部分では、赤色の波長域、緑色の波長域、青色の波長域の直線偏光１７１ｄ，１７２ｄ，１７３ｄが第１の偏光フィルタ１１から出射する（図２３）。したがって、第１の表示領域８１の背景色Ｂ１の表示色は、白色になる。
【００６５】
（第１の表示領域８１の表示要素Ｓ１）
第１の表示領域８１の表示要素Ｓ１が表示された部分では、液晶１０ｅのカイラル構造は失われているので、いずれの波長域の光も偏光面を維持した状態で、液晶パネル１０から出射する（図２４）。第１の偏光板１１（吸収型偏光板）の透過軸１１ａと第２の偏光板１２の透過軸１２ａは直交しているので、液晶パネル１０から出射した赤色の波長域、緑色の波長域の直線偏光１７１ｅ，１７２ｅは、第１の偏光板１１を透過できない。これに対して、液晶パネル１０から出射した青色の波長域の光１７３ｅは、第１の偏光フィルタ１１の透過軸１１ａに平行な偏光と透過軸１１ａに垂直な偏光を含む。したがって、液晶パネル１０から出射した青色の波長域の光１７３ｅは、第１の偏光フィルタ１１の透過軸１１ａに平行な直線偏光１７３ｆとして、第１の偏光フィルタ１１から出射する（図２４）。
以上のように、第１の表示領域８１の表示要素が表示された部分では、青色の波長域の直線偏光１７３ｆが第１の偏光フィルタ１１から出射する。したがって、第１の表示領域８１の表示要素Ｓ１の表示色は、青色になる。
【００６６】
（第２の表示領域８２の背景Ｂ２）
第２の表示領域８２において、光源５ａが出射した白色光は、第３の偏光フィルタ１３（赤色偏光板）に入射する（図２５）。第３の偏光フィルタ１３に入射した白色光のうち、赤色の波長域の光１７７ａは、第３の偏光フィルタ１３によって偏光作用を受けない状態で第３の偏光フィルタ１３を透過する。第３の偏光フィルタ１３を出射した赤色の波長域の光１７７ｂは、第２の偏光フィルタ１２に入射する。第２の偏光フィルタ１２は青色偏光板であるので、第３の偏光フィルタ１３から出射した赤色の波長域の光１７７ｂは、第２の偏光フィルタ１２の透過軸１２ａに平行な直線偏光１７７ｃとして、第２の偏光フィルタ１２から出射する。第２の偏光フィルタ１２から出射した赤色の波長域の直線偏光１７７ｃは、液晶パネル１０に入射する。第２の表示領域８２の背景Ｂ２を表示する部分では、液晶１０ｅのカイラル構造は維持されているので、赤色の波長域の直線偏光１７７ｃは、偏光面が９０°回転した状態で液晶パネル１０から出射する。第１の偏光フィルタ１１の透過軸１１ａは、第２の偏光フィルタ１２の透過軸と直交であるので、偏光面が９０°回転した赤色の波長域の直線偏光１７７ｄは、第１の偏光フィルタ１１を透過する。すなわち、赤色の波長域の直線偏光１７７ｅが第１の偏光フィルタ１１から出射する（図２５）。
【００６７】
光源５ａから第３の偏光フィルタ１３（赤色偏光板）に入射した白色光うち、緑色の波長域の光１７８ａと青色の波長域の光１７９ａは、第３の偏光フィルタ１３の透過軸１３ａに平行な直線偏光１７８ｂ，１７９ｂとして、第３の偏光フィルタ１３から出射する（図２５）。第２の偏光フィルタ１２（青色偏光板）の透過軸１２ａと第３の偏光フィルタ１３の透過軸１３ａは直交であるので、これらの直線偏光１７８ｂ，１７９ｂのうち、青色の波長域の直線偏光１７９ｂが偏光作用を受けない状態で第２の偏光フィルタ１２を透過する。第２の表示領域８２の背景Ｂ２を表示する部分では、液晶１０ｅのカイラル構造は維持されているので、第２の偏光フィルタ１２から出射した青色の波長域の直線偏光１７９ｃは、偏光面が９０°回転した状態で液晶パネル１０から出射する。第１の偏光フィルタ１１（吸収型偏光板）の透過軸１１ａは、第３の偏光フィルタ１３の透過軸１３ａと平行であるので、偏光面が９０°回転した青色の波長域の直線偏光１７９ｄは、第１の偏光フィルタ１１を透過できない（図２５）。
以上のように、第２の表示領域８２の背景Ｂ２を表示する部分では、赤色の波長域の直線偏光１７７ｅが第１の偏光フィルタ１１から出射する。したがって、第２の表示領域８２の背景色Ｂ２の表示色は、赤色になる。
【００６８】
（第２の表示領域８２の表示要素Ｓ２）
第２の表示領域８２の表示要素Ｓ２が表示された部分では、液晶１０ｅのカイラル構造は失われているので、第２の偏光フィルタ１２から出射した赤色の波長域の直線偏光１７７ｃは、偏光面を維持した状態で液晶パネル１０から出射する（図２６）。第１の偏光フィルタ１１（吸収型偏光板）の透過軸１１ａは、第２の偏光フィルタ１２の透過軸と直交であるので、液晶パネル１０を出射した赤色の波長域の直線偏光１７７ｆは、第１の偏光フィルタ１１を透過できない。第２の偏光フィルタ１２から出射した青色の波長域の直線偏光１７９ｃも、偏光面を維持した状態で液晶パネル１０から出射する。第１の偏光フィルタ１１の透過軸１１ａは、第３の偏光フィルタ１３の透過軸１３ａと平行であるので、液晶パネル１０から出射した青色の波長域の直線偏光１７９ｅは、第１の偏光フィルタ１１を透過する（図２６）。すなわち、青色の波長域の直線偏光１７９ｆが第１の偏光フィルタ１１から出射する。したがって、第２の表示領域８２の表示要素Ｓ２の表示色は、青色になる。
【００６９】
以上のように、本実施の形態においては、第１の表示領域８１の背景Ｂ１、第２の表示領域８２の背景Ｂ２の表示色は、それぞれ白色、赤色になる。また、第１の表示領域８１の表示要素Ｓ１、第２の表示領域８２の表示要素Ｓ２の表示色は、ともに青色になる。本実施の形態においても、第１の表示領域８１の背景Ｂ１の表示色、第２の表示領域８２の背景Ｂ２の表示色を、異なる色にすることができる。
【００７０】
以上に説明したように、上記実施の形態で説明した液晶表示装置１によれば、構造が簡単で、表示色の異なる複数の表示領域を有する液晶表示装置を提供することができる。これは、以下の構成によって実現される。
【００７１】
液晶表示装置１は、液晶パネル１０と、液晶パネル１０の表示面に配置された第１の偏光フィルタ１１と、液晶パネル１０の背面に配置された第２の偏光フィルタ１２と、液晶パネル１０の背面に配置され、平面視において、少なくとも一部が第２の偏光フィルタ１２の一部と重なる第３の偏光フィルタ１３と、を備え、第２の偏光フィルタ１２と第３の偏光フィルタ１３の少なくとも一方は、所定の色の波長域の光については偏光作用を及ぼさず透過させるカラー偏光フィルタであり、平面視において、第１の偏光フィルタ１１と第２の偏光フィルタ１２が重なる第１の表示領域８１と、第１の偏光フィルタ１１と第３の偏光フィルタ１３が重なり、第２の偏光フィルタ１２の一部が少なくとも一部に重なる第２の表示領域８２とを有し、第１の表示領域８１に表示される第１の表示要素Ｓ１の表示色と第２の表示領域８２に表示される第２の表示要素Ｓ２の表示色、又は、第１の表示領域８１における背景Ｂ１の表示色と第２の表示領域８２における背景Ｂ２の表示色とが異なる。
【００７２】
第２の偏光フィルタ１２の透過軸１２ａと第３の偏光フィルタ１３の透過軸１３ａは略垂直に配置されてもよい。
【００７３】
第２の偏光フィルタ１２のみが所定の色の波長域の光については偏光作用を及ぼさず透過させるカラー偏光フィルタであり、第２の偏光フィルタ１２と第３の偏光フィルタ１３とが、第２の偏光フィルタ１２の透過軸１２ａと第３の偏光フィルタ１３の透過軸１３ａとが略平行であって、液晶パネル１０の表示面から第２の偏光フィルタ１２、第３の偏光フィルタ１３の順に配置されてもよい。
【００７４】
第２の偏光フィルタ１２と第３の偏光フィルタ１２とが、それぞれ所定の第１の色の波長域の光、所定の第２の色の波長域の光については偏光作用を及ぼさず透過させるカラー偏光フィルタであり、所定の第１の色の波長域は前所定の第２の色の波長域を含み、第２の偏光フィルタ１２の透過軸１２ａと第３の偏光フィルタ１３の透過軸１３ａとが略平行であって、液晶パネル１０の表示面から第２の偏光フィルタ１２、第３の偏光フィルタ１３の順に配置されてもよい。
【００７５】
第２の偏光フィルタ１２と第３の偏光フィルタ１３とが、それぞれ所定の第１の色の波長域の光、所定の第２の色の波長域の光については偏光作用を及ぼさず透過させるカラー偏光フィルタであり、所定の第１の色の波長域の一部と所定の第２の色の波長域の一部が重なり、第２の偏光フィルタ１２の透過軸１２ａと第３偏光フィルタ１３の透過軸１３ａとが略平行に配置されてもよい。
【００７６】
第２の表示要素Ｓ２の表示色の明度が第１の表示要素Ｓ１の表示色の明度より低い、又は、第２の表示領域８２における背景Ｂ１の表示色の明度が第１の表示領域８１における背景Ｂ１の表示色の明度より低くてもよい。
【００７７】
第３の偏光フィルタ１３の全てが第２の偏光フィルタ１２の一部と重なってもよい。
【００７８】
液晶表示装置１はＴＮ型の液晶表示装置に限られない。液晶表示装置１は、液晶１０ｅへの電圧の印加によって、表示を行うことができればよい。例えば、液晶表示装置１として、ＶＡ（Vertical Alignment）型あるいはＳＴＮ（Super-Twisted Nematic）型の液晶表示装置、強誘電性液晶（Ferroelectric Liquid Crystal）を用いた液晶表示装置が挙げられる。この場合、液晶パネル１０を挟む偏光フィルタの配置は、液晶表示装置の種類、背景あるいは表示要素の表示色等によって、適宜選択される。
【００７９】
液晶表示装置１では、透明電極部１０ｃ，１０ｄがそれぞれコモン電極、セグメント電極から構成されてもよい。また、液晶表示装置１は、パッシブマトリクス型の液晶表示装置でもよい。また、液晶表示装置１は、アクティブマトリクス型の液晶表示装置でもよい。つまり、液晶表示装置１は、ドットマトリクス型の液晶表示装置でもよい。液晶表示装置１がドットマトリクス型の液晶表示装置である場合、画素（ドット）を表示要素と見なすことができる。
【００８０】
光源５ａの出射光は、白色光以外でよい。赤色、黄色等の他の色の光を出射する光源を採用できる。これにより、表示要素又は背景の表示色のバリエーションを多彩にできる。
【００８１】
液晶表示装置１は、半透過型あるいは反射型の液晶表示装置でもよい。液晶表示装置１が半透過型あるいは反射型の液晶表示装置である場合、液晶表示装置１の背面には、反射板（反射層）が設けられる。これにより、液晶表示装置１は、外光を光源として利用できる。
【００８２】
第１の偏光フィルタ１１は、透過軸１１ａと直交する直線偏光を反射する反射型偏光板でもよい。
【００８３】
液晶表示装置１が備えられる計器装置１００は、水上バイク、耕作機械、航空機、船舶、電車等の他の乗り物用の計器でもよい。また、液晶表示装置１は、時計、携帯端末等における所定の表示部を構成するものでもよい。
【００８４】
以上の説明では、本発明の理解を容易にするために、重要でない公知の技術的事項の説明を適宜省略した。
【００８５】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。すなわち、本発明の範囲は、実施の形態ではなく、請求の範囲によって示される。そして、請求の範囲内及びそれと同等の発明の意義の範囲内で施される様々な変形が、本発明の範囲内とみなされる。
【符号の説明】
【００８６】
１                液晶表示装置
２                指針式計器
３                表示板
３ａ              表示窓
４                中ケース
５                回路基板
５ａ，５ｂ，５ｃ  光源
６                裏ケース
７                表ケース
７ａ              ガラスカバー
７ｂ              見返し部材
８                表示領域
１０                液晶パネル
１０ａ，１０ｂ      透明基板
１０ｃ，１０ｄ      透明電極部
１０ｅ              液晶
１１                第１の偏光フィルタ
１１ａ              第１の偏光フィルタの透過軸
１２                第２の偏光フィルタ
１２ａ              第２の偏光フィルタの透過軸
１３                第３の偏光フィルタ
１３ａ              第３の偏光フィルタの透過軸
１４                拡散板
２０                電動機
２０ａ              回転軸
２１                指針
３０                指標部
３０ａ              目盛
３０ｂ              数値
３１                装飾意匠
４１                照明室
８１                第１の表示領域
８２                第２の表示領域
１００                計器装置
１１１ａ〜１７９ｆ    光源５ａからの出射光
Ｓ１，Ｓ２          表示要素
Ｂ１，Ｂ２          背景
【図１】
0005554850.tif 000002
【図２】
0005554850.tif 000003
【図３】
0005554850.tif 000004
【図４】
0005554850.tif 000005
【図５】
0005554850.tif 000006
【図６】
0005554850.tif 000007
【図７】
0005554850.tif 000008
【図８】
0005554850.tif 000009
【図９】
0005554850.tif 000010
【図１０】
0005554850.tif 000011
【図１１】
0005554850.tif 000012
【図１２】
0005554850.tif 000013
【図１３】
0005554850.tif 000014
【図１４】
0005554850.tif 000015
【図１５】
0005554850.tif 000016
【図１６】
0005554850.tif 000017
【図１７】
0005554850.tif 000018
【図１８】
0005554850.tif 000019
【図１９】
0005554850.tif 000020
【図２０】
0005554850.tif 000021
【図２１】
0005554850.tif 000022
【図２２】
0005554850.tif 000023
【図２３】
0005554850.tif 000024
【図２４】
0005554850.tif 000025
【図２５】
0005554850.tif 000026
【図２６】
0005554850.tif 000027